(57)【要約】      （修正有）【課題】都度開始ボタンを操作しなくても複数個の商品のシンボルを連続して読みとらせることが可能なシンボル読取装置およびプログラムを提供する。【解決手段】商品に付された商品を特定するシンボルを読み取る読取部と、読取部によるシンボルの読み取りを開始するための操作部が操作されたかを判断する操作判断部と、操作部が操作されたと判断した場合に、設定された第１所定時間内は読取部によるシンボルの読み取りを可能とする第１読取可能部と、第１所定時間内に読取部がシンボルを読み取った場合には、設定された第２所定時間内は読取部によるシンボルの読み取りを可能とする第２読取可能部と、第１所定時間内または第２所定時間内に読み取られたシンボルに基づいて、売上登録処理を実行する売上登録処理部と、第１所定時間または第２所定時間内に読取部がシンボルを読み取らなかった場合には、シンボルの読み取りを終了する読取終了部とを備える。【選択図】図６
2019153102.tif 000002
【特許請求の範囲】
【請求項１】
商品に付された商品を特定するシンボルを読み取る読取部と、
前記読取部によるシンボルの読み取りを開始するための操作部が操作されたかを判断する操作判断部と、
前記操作部が操作されたと判断した場合に、設定された第１所定時間内は前記読取部による前記シンボルの読み取りを可能とする第１読取可能部と、
前記第１所定時間内に前記読取部が前記シンボルを読み取った場合には、設定された第２所定時間内は前記読取部による前記シンボルの読み取りを可能とする第２読取可能部と、
前記第１所定時間内または前記第２所定時間内に読み取られたシンボルに基づいて、当該商品について売上登録処理を実行する売上登録処理部と、
前記第１所定時間または前記第２所定時間内に前記読取部が前記シンボルを読み取らなかった場合には、前記読取部によるシンボルの読み取りを終了する読取終了部と、
を備えたシンボル読取装置。
【請求項２】
前記シンボル読取装置は、店内を移動可能に構成されたショッピングカートに装着されている、
請求項１に記載のシンボル読取装置。
【請求項３】
前記第２所定時間は前記第１所定時間より短い、
請求項１または２に記載のシンボル読取装置。
【請求項４】
前記第１所定時間および前記第２所定時間を設定する設定部、を備え、
前記第１読取可能部は、前記設定部が設定した前記第１所定時間内に前記読取部による前記シンボルの読み取りを可能とし、
前記第２読取可能部は、前記第１所定時間内に前記シンボルの読み取りがされた場合には、前記設定部が設定した前記第２所定時間内に前記読取部による前記シンボルの読み取りを可能とする、
請求項１乃至３のいずれか一に記載のシンボル読取装置。
【請求項５】
前記第１所定時間および前記第２所定時間を設定する設定部と、
前記第２所定時間が、前記設定部が設定した第１所定時間からシンボルを読み取るまでに経過した時間に基づく前記第１所定時間の残存時間より長いかを判断する残存時間判断部と、をさらに備え、
前記設定部は、前記残存時間判断部が前記第２所定時間が前記残存時間より長いと判断した場合に前記第２所定時間を設定し、前記残存時間が前記第２所定時間以上であると判断した場合に前記残存時間を前記第２所定時間とする、
請求項１乃至３のいずれか一に記載のシンボル読取装置。
【請求項６】
前記読取部は、シンボルを照らす照明を備え、前記読取終了部は前記照明を消灯することで前記読取部によるシンボルの読み取りを終了する、
請求項１乃至５のいずれか一に記載のシンボル読取装置。
【請求項７】
商品に付された商品を特定するシンボルを読み取る読取部を備えたシンボル読取装置としてのコンピュータを、
前記読取部によるシンボルの読み取りを開始するための操作部が操作されたかを判断する操作判断部と、
前記操作部が操作されたと判断した場合に、設定された第１所定時間内は前記読取部による前記シンボルの読み取りを可能とする第１読取可能部と、
前記第１所定時間内に前記読取部が前記シンボルを読み取った場合には、設定された第２所定時間内は前記読取部による前記シンボルの読み取りを可能とする第２読取可能部と、
前記第１所定時間内または前記第２所定時間内に読み取られたシンボルに基づいて、当該商品について売上登録処理を実行する売上登録処理部と、
前記第１所定時間または前記第２所定時間内に前記読取部が前記シンボルを読み取らなかった場合には、前記読取部によるシンボルの読み取りを終了する読取終了部と、
して機能させるためのプログラム。
【発明の詳細な説明】
【技術分野】
【０００１】
本発明の実施形態は、シンボル読取装置およびプログラムに関する。
【背景技術】
【０００２】
従来から、スーパーマーケットやショッピングセンター等の店舗では、店内を移動可能であって、購入する商品を入れるショッピングカートを用いた買物のスタイルが使用されている。顧客は、店内をショッピングカートを押して移動し、購入する商品をショッピングカートまたはショッピングカートに備え付けたカゴに入れる。そして、買物が終了すると、顧客は、商品が入ったショッピングカートをＰＯＳ（Pint  of  Sales）端末等の精算部に移動させて、中に入っている商品の精算を行う。
【０００３】
また、最近は、商品に付されたバーコード等のコードシンボルを読み取るシンボル読取装置が装着されたショッピングカートが登場している。顧客は、ショッピングカートに商品を入れる際に、シンボル読取装置を読取可能とするために開始ボタンを操作する。開始ボタンを操作すると、シンボル読取装置は所定時間だけコードシンボルの読み取りが可能となる。顧客は、開始ボタンを操作してから所定時間内に、商品に付されたコードをシンボル読取装置で読み取らせてからショッピングカートに入れる。ショッピングカートは、読み取られた商品の商品情報を記憶する。このようにすることで、顧客が購入する商品について改めて商品精算部で商品を読み取らせる必要がない。
【０００４】
しかしながら、従来のショッピングカートに装着されたシンボル読取装置は、一つの商品のシンボルを読み取るとすぐに読取不可の状態となる。顧客は、次の商品のシンボルを読みとらせるには再度開始ボタンを操作する必要があった。そのため、複数個の商品のシンボルを連続して読みとらせる場合であっても、都度開始ボタンを操作する必要があり、顧客にとって手間となっていた。
【発明の概要】
【発明が解決しようとする課題】
【０００５】
本発明が解決しようとする課題は、都度開始ボタンを操作しなくても複数個の商品のシンボルを連続して読みとらせることが可能なシンボル読取装置およびプログラムを提供することである。
【課題を解決するための手段】
【０００６】
実施形態のシンボル読取装置は、商品に付された商品を特定するシンボルを読み取る読取部と、前記読取部によるシンボルの読み取りを開始するための操作部が操作されたかを判断する操作判断部と、前記操作部が操作されたと判断した場合に、設定された第１所定時間内は前記読取部による前記シンボルの読み取りを可能とする第１読取可能部と、前記第１所定時間内に前記読取部が前記シンボルを読み取った場合には、設定された第２所定時間内は前記読取部による前記シンボルの読み取りを可能とする第２読取可能部と、前記第１所定時間内または前記第２所定時間内に読み取られたシンボルに基づいて、当該商品について売上登録処理を実行する売上登録処理部と、前記第１所定時間または前記第２所定時間内に前記読取部が前記シンボルを読み取らなかった場合には、前記読取部によるシンボルの読み取りを終了する読取終了部と、を備える。
【図面の簡単な説明】
【０００７】
【図１】図１は、第１実施形態に係るチェックアウトシステム１を示す模式図である。
【図２】図２は、ショッピングカートの構成を示す斜視図である。
【図３】図３は、カート端末のハードウェア構成を示すブロック図である。
【図４】図４は、ＰＯＳ端末のハードウェア構成を示すブロック図である。
【図５】図５は、カート端末の機能構成を示す機能ブロック図である。
【図６】図６は、カート端末の制御処理の流れを示すフローチャートである。
【図７】図７は、第２実施形態に係るカート端末の機能構成を示す機能ブロック図である。
【図８】図８は、カート端末の制御処理の流れを示すフローチャートである。
【発明を実施するための形態】
【０００８】
以下、図１〜図６を参照して、第１実施形態について詳細に説明する。また、図７および図８を参照して、第２実施形態について詳細に説明する。第１実施形態および第２実施形態において、カート端末をシンボル読取装置の一例として説明する。以下に説明する第１実施形態および第２実施形態によりこの発明が限定されるものではない。
【０００９】
（第１実施形態）
図１は、第１実施形態にかかるチェックアウトシステムの全体構成を概略的に示すシステム構成図である。図１に示すように、チェックアウトシステム１は、複数台のショッピングカート２と、顧客が購入する商品の会計処理を行うためのＰＯＳ（Point  Of  Sales）端末５が、例えばＬＡＮ（Local  Area  Network）等のネットワーク９を介して接続されている。ショッピングカート２には、カート端末４（シンボル読取装置）が取り付けられている。カート端末４は、店舗の天井等に設置されるアンテナを備えた無線通信ユニット７との間で無線の通信回線Ｌによってネットワーク９に接続されており、カート端末４は、ＰＯＳ端末５と無線通信が可能である。カート端末４は、カートを押す顧客に対して情報を表示する向きに取り付けられる。顧客に表示する情報は、例えば購入する商品の商品情報（商品名、価格、等）である。また、顧客に表示する情報は、例えば店舗の販売促進情報である。
【００１０】
このようなチェックアウトシステム１が導入された店舗では、顧客が、店舗の入口でショッピングカート２を借り受ける。そして顧客は、ショッピングカート２を押して店舗内を廻り、商品棚（図示しない）から購入する商品を取ってショッピングカート２に入れる。個々の商品には、例えばバーコードや二次元コードの形態のコードシンボル（シンボル）が付されている。顧客は、ショッピングカート２に取り付けられたカート端末４のシンボル読取部４９（読取部）（図２参照）を用いて、その商品に付されたコードシンボルを読み取る。顧客は、コードシンボルを読みとった商品をショッピングカート２に入れる。そして、顧客は、購入する商品のコードシンボルの読み取りを終えたら、ショッピングカート２をＰＯＳ端末５の位置まで移動させて会計処理を行う。会計処理の後、顧客は、ショッピングカート２に入れられた商品の袋詰め等を行ってショッピングカート２を返却して店舗の出口から退出する。
【００１１】
ショッピングカート２は、ＰＯＳ端末５や図示しない店舗サーバと通信回線Ｌによって接続し、ＰＯＳ端末５や店舗サーバから、例えば、店舗で販売される商品の商品情報（商品名、価格、等）を記憶する商品マスタの情報を受信する。また、ショッピングカート２は、ＰＯＳ端末５と通信回線Ｌによって接続し、例えば、コードシンボルが読みとられた商品の商品情報をＰＯＳ端末５に送信する。
【００１２】
図２は、ショッピングカート２を示す斜視図である。ショッピングカート２は、上面開口した籠状の収納部２０２、収納部２０２の下方に配置された移動用のキャスタ部２０３、収納部２０２と連結されてショッピングカート２を移動させる際に顧客が把持するハンドル部２０４等を備えている。また、ショッピングカート２は、フレーム２０５により全体の骨格が構成されている。収納部２０２は、収納部２０２を構成するフレーム２０５同士の間に網２０２ａが張られており、商品を外部から視認できる態様で収納する。顧客は、購入する商品を棚から取り、収納部２０２に入れる。これにより、顧客や店員等は、収納部２０２に収納された商品の詳細を容易に知ることができる。なお、ショッピングカート２は、自ら収納部２０２を備える形態でなくてもよく、例えば、商品を外部から視認できる態様で収納する商品カゴを受けるカゴ受部を有し、このカゴ受部が受ける商品カゴを収納部２０２とする形態であっても良い。
【００１３】
また、収納部２０２を構成するフレーム２０５のハンドル部２０４側の一部には、保持部（図示しない）を介してカート端末４が取り付けられている。カート端末４は、ハウジング４７１を有し、ハウジング４７１には、ＬＣＤ（Liquid  Crystal  Display）で構成された表示部４７、表示部４７の表示面上に取り付けられたタッチパネルで構成された操作部４８、コードシンボルを読み取るシンボル読取部４９が設けられている。シンボル読取部４９は、光で商品を照射するための照明であるＬＥＤ（Light  Emitting  Diode）、商品で反射した光を受光するＣＣＤ（Charged  Coupled  Device）イメージセンサ、イメージセンサが受光した光をデコードしてデジタル信号に変換するデコーダ（いずれも図示しない）等を内蔵し、シンボル読取部４９の一面には、ＬＥＤからの光を出射し、コードシンボルを読み取らせるための読取窓４９１が設けられている。
【００１４】
顧客は、ショッピングカート２に商品を入れる際に、読取窓４９１に商品に付されたシンボルを翳す。するとシンボル読取部４９は、コードシンボルを読み取る。また、シンボル読取部４９は、読み取られたコードシンボルをデコードする。カート端末４は、デコードされたデジタル信号を解析された結果、当該商品を特定する商品コードを取得する。なお、デコードされたデジタル信号をＰＯＳ端末５に送信し、ＰＯＳ端末５が受信したデジタル信号に基づいて商品コードを取得するようにしてもよい。
【００１５】
ここからは、カート端末４のハードウェア構成について説明する。図３は、カート端末４のハードウェア構成を示すブロック図である。図３に示すように、カート端末４は、ＣＰＵ（Central  Processing  Unit）４１、ＲＯＭ（Read  Only  Memory）４２、ＲＡＭ（Random  Access  Memory）４３、メモリ部４４等を備えている。ＣＰＵ４１は制御主体となる。ＲＯＭ４２は各種プログラムを記憶する。ＲＡＭ４３はプログラムや各種データを展開する。メモリ部４４は各種プログラムを記憶する。ＣＰＵ４１、ＲＯＭ４２、ＲＡＭ４３、メモリ部４４は、互いにバス４５を介して接続されている。ＣＰＵ４１とＲＯＭ４２とＲＡＭ４３が、制御部４００を構成する。すなわち、制御部４００は、ＣＰＵ４１がＲＯＭ４２やメモリ部４４に記憶されＲＡＭ４３に展開された制御プログラムに従って動作することによって、後述するカート端末４に係る制御処理を実行する。
【００１６】
ＲＡＭ４３は、商品情報部４３１と設定時間記憶部４３２を備える。商品情報部４３１は、シンボル読取部４９がコードシンボルを読み取った商品の商品情報を記憶する。設定時間記憶部４３２は、後述する開始ボタン４８１が操作されて、ＬＥＤが点灯してから消灯するまでの時間（すなわち、シンボル読取部４９がコードシンボルを読み取り可能な時間）を設定する。
【００１７】
メモリ部４４は、電源を切っても記憶情報が保持されるＨＤＤ（Hard  Disc  Drive）やフラッシュメモリ等の不揮発性メモリで構成される。メモリ部４４は、制御プログラム部４４１、所定時間記憶部４４２、商品マスタ４４３を備える。制御プログラム部４４１は、カート端末４を制御するための制御プログラムを記憶する。所定時間記憶部４４２は、図６および図８で後述する、ＬＥＤが点灯してから消灯するまでの時間（すなわち、シンボル読取部４９がコードシンボルを読み取り可能な時間）を記憶する。所定時間記憶部４４２は、設定時間記憶部４３２に設定するための時間を記憶する。所定時間記憶部４４２は、設定時間記憶部４３２に設定するための時間として、第１所定時間と第２所定時間を記憶する。第１所定時間は例えば２０秒である。第２所定時間は、第１所定時間より短い時間であり、例えば５秒である。商品マスタ４４３は、店舗で販売するすべての商品について、商品コードに対応付けて当該商品の商品名、価格等の商品情報を記憶する。商品マスタ４４３は、後述するＰＯＳ端末５から商品マスタ５４２の情報を受信したものであり、ＰＯＳ端末５に記憶された商品マスタ５４２と同等の内容である。
【００１８】
また、制御部４００は、バス４５およびコントローラ４６を介して、表示部４７、操作部４８、シンボル読取部４９と接続している。表示部４７は、制御部４００による制御のもとで、開始ボタンの画像、終了ボタンの画像、ＯＫボタンの画像、キャンセルボタンの画像を表示する。また、表示部４７は、シンボル読取部４９が読み取った商品の商品情報（商品名、価格、等）を表示する。また、表示部４７は、後述する終了ボタン４８２が操作された場合に、シンボル読取部４９が読み取った商品（すなわち、顧客が購入する商品）の合計金額、税額等を表示する。
【００１９】
操作部４８は、表示部４７が表示する開始ボタンの画像に対応した位置に、操作ボタンを有する。開始ボタン４８１は、シンボル読取部４９のＬＥＤを点灯させるトリガになるボタンである。開始ボタン４８１が操作されると、制御部４００はＬＥＤを点灯させる。
ＬＥＤが点灯すると、シンボル読取部４９は、コードシンボルの読み取りが可能となる。また、操作部４８は、表示部４７が表示する終了ボタンの画像に対応した位置に終了ボタン４８２を備える。終了ボタン４８２は、顧客による商品の購入が終了を宣言する場合に操作するボタンである。また、操作部４８は、表示部４７が表示するＯＫボタンの画像に対応した位置に、ＯＫボタン４８３を備える。ＯＫボタン４８３は、表示部４７が表示した合計金額等が問題ない場合に顧客が操作するボタンである。また、操作部４８は、表示部４７が表示するキャンセルボタンの画像に対応した位置に、キャンセルボタン４８４を備える。キャンセルボタン４８４は、表示部４７が表示した合計金額等に問題がある場合や、商品の購入を中止する場合に顧客が操作するボタンである。
【００２０】
また、制御部４００は、バス４５を介して、無線通信部５０と接続している。無線通信部５０は、通信回線Ｌ、無線通信ユニット７、ネットワーク９を介して、ＰＯＳ端末５通信可能に接続している。
【００２１】
なお、カート端末４は、シンボル読取部４９がシンボルを読み取った商品について、当該商品の売上登録処理を実行する。カート端末４が実行する売上登録処理は、シンボル読取部４９が読み取ったコードシンボルを解析して取得した商品コードに基づいて、後述する商品マスタ４４３から読み出した、当該商品の商品情報を表示するとともに、当該商品情報を商品情報部４３１に記憶する処理をいう。
【００２２】
ここからは、ＰＯＳ端末５について説明する。ＰＯＳ端末５は、店舗で販売される商品のうち、ＰＯＳ端末５に設けられたシンボル読取部６１（後述）で読み取られたコードシンボルに対する売上登録処理を実行する。売上登録処理とは、取得した商品コードに基づいて、後述する商品マスタ５４２から読み出した、当該商品の商品情報（商品名、価格等）を表示するとともに、当該商品情報をＲＡＭ５３等に記憶する処理をいう。
【００２３】
また、ＰＯＳ端末５は、カート端末４およびＰＯＳ端末５で売上登録処理された商品について、会計処理を実行する。会計処理とは、売上登録処理された商品の商品情報に基づいて、取引に係る合計金額の表示、顧客から預かった預り金に基づいて釣銭額を計算して表示する処理等をいう。また、ＰＯＳ端末５は、商品情報や決済情報を印字したレシートを発行する。
【００２４】
次に、ＰＯＳ端末５のハードウェア構成について説明する。図４は、ＰＯＳ端末５のハードウェア構成を示すブロック図である。図４に示すように、ＰＯＳ端末５は、ＣＰＵ５１、ＲＯＭ５２、ＲＡＭ５３、メモリ部５４等を備えている。ＣＰＵ５１は制御主体となる。ＲＯＭ５２は各種プログラムを記憶する。ＲＡＭ５３はプログラムや各種データを展開する。メモリ部５４は各種プログラムを記憶する。ＣＰＵ５１、ＲＯＭ５２、ＲＡＭ５３、メモリ部５４は、互いにバス５５を介して接続されている。ＣＰＵ５１とＲＯＭ５２とＲＡＭ５３が、制御部５００を構成する。すなわち、制御部５００は、ＣＰＵ５１がＲＯＭ５２やメモリ部５４に記憶されＲＡＭ５３に展開された制御プログラムに従って動作することによって、後述するＰＯＳ端末５に係る制御処理を実行する。
【００２５】
メモリ部５４は、電源を切っても記憶情報が保持されるＨＤＤやフラッシュメモリ等の不揮発性メモリで構成される。メモリ部５４は、制御プログラム部５４１と商品マスタ５４２を備える。制御プログラム部５４１は、ＰＯＳ端末５を制御するための制御プログラムを記憶する。商品マスタ５４２は、店舗で販売するすべての商品について、商品コードに対応付けて当該商品の商品名、価格等の商品情報を記憶する。
【００２６】
また、制御部５００は、バス５５およびコントローラ５６を介して、オペレータ表示部５７、客用表示部５８、操作部５９、印字部６０、シンボル読取部６１、カード読取部６２を備える。オペレータ表示部５７は、例えば商品情報や会計情報等の情報をオペレータに表示する。客用表示部５８は、例えば商品情報や会計情報等の情報を顧客に表示する。操作部５９は、顧客との取引を終了する会計キー５９１を含むキーボードである。印字部６０は、例えばサーマルプリンタで構成され、取引にかかる商品情報や会計情報を印字したレシートを発行する。シンボル読取部６１は、シンボル読取部４９と同等の構成を有し、ＰＯＳ端末５において、商品に付されたコードシンボルを読み取る。カード読取部６２は、例えばクレジットカードやデビットカード等のカード情報を読み取る。ＰＯＳ端末５は、読み取ったカード情報に基づいて、当該カードによる会計処理を実行する。
【００２７】
また、制御部５００は、バス４５を介して、通信部６３と接続している。通信部６３は、ネットワーク９、無線通信ユニット７、通信回線Ｌを介して、カート端末４と通信可能に接続している。
【００２８】
ここからは、カート端末４の機能構成について説明する。カート端末４の制御部４００は、操作判断部４０１、第１読取可能部４０２、経過時間判断部４０３、シンボル読取判断部４０４、第２読取可能部４０５、売上登録処理部４０６、読取終了部４０７、設定部４０８として機能する。
【００２９】
操作判断部４０１は、開始ボタン４８１が操作されたかを判断する。第１読取可能部４０２は、操作判断部４０１が開始ボタン４８１が操作されたと判断した場合に、第１所定時間の間シンボル読取部４９によるコードシンボルの読み取りを可能とする。経過時間判断部４０３は、第１所定時間が経過したかを判断する。シンボル読取判断部４０４は、第１所定時間内にシンボル読取部４９がコードシンボルを読み取ったかを判断する。第２読取可能部４０５は、シンボル読取判断部４０４が第１所定時間内にシンボル読取部４９がコードシンボルを読み取ったと判断した場合に、第２所定時間の間シンボル読取部４９によるコードシンボルの読み取りを可能とする。経過時間判断部４０３は、第２所定時間が経過したかを判断する。シンボル読取判断部４０４は、第２所定時間内にシンボル読取部４９がコードシンボルを読み取ったかを判断する。
【００３０】
売上登録処理部４０６は、シンボル読取判断部４０４が第１所定時間内または第２所定時間内にコードシンボルを読み取ったと判断した場合に、読み取ったコードシンボルに基づいて商品の売上登録処理を実行する。読取終了部４０７は、経過時間判断部４０３が第１所定時間または第２所定時間を経過したと判断した場合に、シンボル読取部４９によるコードシンボルの読み取りを終了する。読取終了部４０７がコードシンボルの読み取りを終了すると、その後は、再度開始ボタン４８１が操作されるまでシンボル読取部４９によるコードシンボルの読み取りが不可となる。
【００３１】
続いて、カート端末４の制御処理に付いて説明する。図６は、カート端末の制御処理の流れを示すフローチャートである。図６に示すように、カート端末４の操作判断部４０１は、開始ボタン４８１が操作されたかを判断する（Ｓ１１）。操作判断部４０１が開始ボタン４８１が操作されたと判断した場合には（Ｓ１１のＹｅｓ）、第１読取可能部４０２は、シンボル読取部４９のＬＥＤをオンする（Ｓ１２）。ＬＥＤがオンすると、シンボル読取部４９は、コードシンボルの読み取りが可能となる。また、設定部４０８は、所定時間記憶部４４２から第１所定時間を読み出して設定時間記憶部４３２に設定（記憶）する（Ｓ１２）。また、第１読取可能部４０２は、設定された第１所定時間から時間の減算を開始する（Ｓ１２）。時間の減算は、例えば第１所定時間として設定された２０秒から、カウンタを用いて１秒ずつ減算する。このようにして、第１読取可能部４０２は、第１所定時間内はシンボル読取部４９によるシンボルの読み取りを可能とする。
【００３２】
次に経過時間判断部４０３は、第１所定時間から減算した残存時間が０となったか（すなわち、第１所定時間が経過したか）を判断する（Ｓ１３）。経過時間判断部４０３が第１所定時間から減算した残存時間が０となっていないと判断した場合には（Ｓ１３のＮｏ）、シンボル読取判断部４０４は、シンボル読取部４９がコードシンボルを読み取ったかを判断する（Ｓ１４）。シンボル読取判断部４０４がコードシンボルを読み取っていないと判断した場合には（Ｓ１４のＮｏ）、制御部４００は、Ｓ１３に戻る。一方、シンボル読取判断部４０４がコードシンボルを読み取ったと判断した場合には（Ｓ１４のＹｅｓ）、売上登録処理部４０６は、読み取ったコードシンボルを解析して得られた商品コードに基づいて、当該商品の売上登録処理を実行する（Ｓ１５）。制御部４００は、売上登録処理された商品の商品情報を、商品情報部４３１に記憶する。
【００３３】
次に、設定部４０８は、所定時間記憶部４４２から第２所定時間を読み出して設定時間記憶部４３２に設定（記憶）する（Ｓ１６）。また、第２読取可能部４０５は、設定された第２所定時間から時間の減算を開始する（Ｓ１６）。なお、依然としてシンボル読取部４９のＬＥＤは点灯しているため、第２読取可能部４０５は、第２所定時間内はシンボル読取部４９によるコードシンボルの読み取りを可能とする。
【００３４】
次に経過時間判断部４０３は、第２所定時間から減算した残存時間が０となったか（すなわち、第２所定時間が経過したか）を判断する（Ｓ１７）。経過時間判断部４０３が第２所定時間から減算した残存時間が０となっていないと判断した場合には（Ｓ１７のＮｏ）、シンボル読取判断部４０４は、シンボル読取部４９がコードシンボルを読み取ったかを判断する（Ｓ１８）。シンボル読取判断部４０４がコードシンボルを読み取っていないと判断した場合には（Ｓ１８のＮｏ）、制御部４００は、Ｓ１７に戻る。一方、シンボル読取判断部４０４がコードシンボルを読み取ったと判断した場合には（Ｓ１８のＹｅｓ）、制御部４００はＳ１５に戻り、売上登録処理部４０６は、読み取ったコードシンボルを解析して得られた商品コードに基づいて、当該商品の売上登録処理を実行する（Ｓ１５）。以降、Ｓ１７の判断でＹｅｓと判断されるまでＳ１５、Ｓ１６、Ｓ１８の処理を繰り返す。
【００３５】
一方、経過時間判断部４０３が第１所定時間から減算した残存時間が０である（すなわち、第１所定時間の間、コードシンボルが読み取られなかった）と判断した場合は（Ｓ１３のＹｅｓ）、読取終了部４０７は、シンボル読取部４９のＬＥＤを消灯する（Ｓ２５）。また、経過時間判断部４０３が第２所定時間から減算した残存時間が０である（すなわち、第２所定時間の間、コードシンボルが読み取られなかった）と判断した場合も（Ｓ１７のＹｅｓ）、読取終了部４０７は、シンボル読取部４９のＬＥＤを消灯する（Ｓ２５）。シンボル読取部４９のＬＥＤが消灯すると、シンボル読取部４９はコードシンボルを読み取ることができないため、コードシンボルの読み取りが不可となる。そして制御部４００は、Ｓ１１に戻る。
【００３６】
また、Ｓ１１において、操作判断部４０１が開始ボタン４８１の操作ではないと判断した場合には（Ｓ１１のＮｏ）、制御部４００は、終了ボタン４８２が操作されたかを判断する（Ｓ２１）。顧客は、店内での商品の購入が終了すると、ＰＯＳ端末５の設置場所に移動して終了ボタン４８２を操作する。終了ボタン４８２が操作されたと判断した場合には（Ｓ２１のＹｅｓ）、制御部４００は、売上登録した商品の商品情報と商品の価格を合計した合計金額を表示部４７に表示する（Ｓ２２）。
【００３７】
次に制御部４００は、ＯＫボタン４８３が操作されたかを判断する（Ｓ２３）。ＯＫボタン４８３が操作されたと判断した場合には（Ｓ２３のＹｅｓ）、制御部４００は、当該ショッピングカート２を特定するカード番号と、表示部４７に表示した商品情報、合計金額等を、ＰＯＳ端末５に送信する（Ｓ２４）。そして読取終了部４０７は、Ｓ２５の処理を実行する。また、制御部４００は、商品情報部４３１、設定時間記憶部４３２に記憶されている情報をクリアする。そして制御部４００は、Ｓ１１に戻る。
【００３８】
また、ＯＫボタン４８３の操作ではないと判断した場合には（Ｓ２３のＮｏ）、制御部４００は、キャンセルボタン４８４が操作されたかを判断する（Ｓ２６）。キャンセルボタン４８４が操作されたと判断した場合には（Ｓ２６のＹｅｓ）、制御部４００は、商品情報部４３１と設定時間記憶部４３２に記憶されているすべての情報をキャンセル（クリア）する（Ｓ２７）。そして制御部４００は、Ｓ２５の処理を実行する。また、キャンセルボタン４８４の操作ではないと判断した場合には（Ｓ２６のＮｏ）、制御部４００は、Ｓ２３に戻る。なお、終了ボタン４８２の操作ではないと判断した場合には（Ｓ２１のＮｏ）、制御部４００は、Ｓ１１に戻る。
【００３９】
このような第１実施形態のカート端末４によれば、開始ボタン４８１が操作されると、設定された第１所定時間の間、シンボル読取部４９によるコードシンボルの読み取りが可能となる。そして、第１所定時間内にシンボル読取部４９によるコードシンボルの読み取りがされた場合には、設定された第２所定時間の間、シンボル読取部４９によるコードシンボルの読み取りが可能となる。そして、第１所定時間内または、第２所定時間内にコードシンボルの読み取りがされた場合には、当該コードシンボルによって特定される商品の売上登録処理を実行する。そのため、複数個の商品のシンボルを連続して読みとらせることが可能となる。
【００４０】
（第２実施形態）
ここからは図７および図８を用いて第２実施形態について説明する。図７は、第２実施形態に係るカート端末４の機能構成を示す機能ブロック図である。図７において、カート端末４の制御部４００は、操作判断部４０１、第１読取可能部４０２、経過時間判断部４０３、シンボル読取判断部４０４、第２読取可能部４０５、売上登録処理部４０６、読取終了部４０７、設定部４０８、残存時間判断部４０９として機能する。操作判断部４０１、第１読取可能部４０２、経過時間判断部４０３、シンボル読取判断部４０４、第２読取可能部４０５、売上登録処理部４０６、読取終了部４０７は、図６と同等の機能であるため、説明を省略する。
【００４１】
残存時間判断部４０９は、シンボル読取判断部４０４がコードシンボルを読み取ったと判断した際の第１所定時間の残存時間と第２所定時間のどちらが長いかを判断する。そして、設定部４０８は、残存時間判断部４０９が第２所定時間が第１所定時間の残存時間よりより長いと判断した場合に、第２所定時間を設定する。残存時間が第２所定時間より長い場合には、設定部４０８は、残存時間を第２所定時間とする。
【００４２】
次に、第２実施形態に係るカート端末４の制御について説明する。図８は、カート端末４の制御処理の流れを示すフローチャートである。図８において、Ｓ１１〜Ｓ２７は、図６と同等の制御処理のため、説明を省略する。Ｓ１５において、売上登録処理部４０６は、読み取ったコードシンボルを解析して得られた商品コードに基づいて、当該商品の売上登録処理を実行する。次に残存時間判断部４０９は、第２経過時間が、Ｓ１２で設定した第１経過時間からＳ１４において経過時間判断部４０３がコードシンボルを読み取ったと判断するまでに経過した時間を除く残存時間より長いかを判断する（Ｓ４１）。残存時間判断部４０９が第２経過時間が残存時間より長いと判断した場合には（Ｓ４１のＹｅｓ）、制御部４００は、Ｓ１６以降の処理を実行する。
【００４３】
また、残存時間判断部４０９が残存時間が第２経過時間以上であると判断した場合には（Ｓ４１のＮｏ）、制御部４００は、Ｓ１６の処理を実行することなくＳ１７以降の処理を実行する。例えば、第１所定時間が２０秒、第２所定時間が５秒の場合、残存時間が４秒の場合は、設定部４０８は、第２所定時間を設定する。また、残存時間が１０秒の場合は、設定部４０８による第２所定時間の設定は行わず、設定部４０８は、残存時間を第２所定時間とする。第１読取可能部４０２は、引き続き第１所定時間の残存時間から時間の減算を行う。そして制御部４００は、Ｓ１７以降の処理を実行する。
【００４４】
このような第２実施形態のカート端末４によれば、開始ボタン４８１が操作されると、第１所定時間の間、シンボル読取部４９によるコードシンボルの読み取りが可能となる。そして、第２所定時間の間、シンボル読取部４９によるコードシンボルの読み取りが可能となる。そして、第１所定時間内または、第２所定時間内にコードシンボルの読み取りがされた場合には、当該コードシンボルによって特定される商品の売上登録処理を実行する。そのため、複数個の商品のシンボルを連続して読みとらせることが可能となる。
【００４５】
以上、本発明の第１実施形態および第２実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態は、発明の範囲や要旨に含まれるとともに、特許請求の範囲に記載された発明とその均等の範囲に含まれる。
【００４６】
例えば、実施形態では、第１所定時間を第２所定時間より長くした。しかしながら、これに限らず、第１所定時間と第２所定時間を同一の長さの時間としてもよい。また、第２所定時間を第１所定時間より長くしてもよい。
【００４７】
また、実施形態では、カート端末４をシンボル読取装置の一例として説明した。しかしながら、例えば、シンボル読取部４９をシンボル読取装置としてもよい。
【００４８】
また、実施形態では、ショッピングカート２にカート端末４を取り付けた例を説明した。しかしながら、これに限らず、例えば、商品を入れるカゴにカート端末４を取り付けたものであってもよい。
【００４９】
なお、実施形態のカート端末４で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００５０】
また、実施形態のカート端末４で実行されるプログラムを、インターネット等のネットワークに接続されたコンピュータ上に格納し、ネットワーク経由でダウンロードさせることにより提供するように構成しても良い。また、実施形態のカート端末４で実行されるプログラムをインターネット等のネットワーク経由で提供または配布するように構成しても良い。
【００５１】
また、実施形態のカート端末４で実行されるプログラムを、ＲＯＭ等に予め組み込んで提供するように構成してもよい。
【符号の説明】
【００５２】
２          ショッピングカート
４          カート端末
５          ＰＯＳ端末
４９        シンボル読取部
４００      制御部
４０１      操作判断部
４０２      第１読取可能部
４０３      経過時間判断部
４０４      シンボル読取判断部
４０５      第２読取可能部
４０６      売上登録処理部
４０７      読取終了部
４０８      設定部
４０９      残存時間判断部
４３２      設定時間記憶部
４４２      所定時間記憶部
【先行技術文献】
【特許文献】
【００５３】
【特許文献１】特開平１０−２０８１５２号公報
【図１】
2019153102.tif 000003
【図２】
2019153102.tif 000004
【図３】
2019153102.tif 000005
【図４】
2019153102.tif 000006
【図５】
2019153102.tif 000007
【図６】
2019153102.tif 000008
【図７】
2019153102.tif 000009
【図８】
2019153102.tif 000010